(57)【要約】【課題】光ディスクを情報記録再生装置内に装着した状態で該光ディスクの内部に記録された情報に関する情報（画像情報や文字情報等）を簡便に、且つ、周辺を汚すことなく、正確に印刷できるようにする。【解決手段】情報記録再生装置１０は、回転駆動部２４に装着された光ディスク１２に対して情報の記録及び／又は再生を行う記録再生部１４と、回転駆動部２４に装着された状態の光ディスク１２の印刷可能面１６に対して画像や文字を含む印刷情報の印刷を行う印刷部１８とを有する。印刷部１８は、回転駆動部２４に装着された状態の光ディスクの印刷可能面１６に対向して配置された印刷ヘッド５４と、該印刷ヘッド５４を光ディスク１２の印刷可能面１６とほぼ平行な面６６に沿って相対的に二次元走査させる第１及び第２のヘッド移動機構６０及び６２とを有する。【選択図】図１
2006302409.tif 000002
【特許請求の範囲】
【請求項１】
回転駆動部に装着された光情報記録媒体に対して情報の記録及び／又は再生を行う記録再生部と、
前記回転駆動部に装着された状態の前記光情報記録媒体の印刷可能面に対して画像や文字を含む印刷情報の印刷を行う印刷部とを有し、
前記印刷部は、
前記回転駆動部に装着された状態の前記光情報記録媒体の前記印刷可能面に対向して配置された印刷ヘッドと、
前記印刷ヘッドを前記光情報記録媒体の前記印刷可能面とほぼ平行な面に沿って相対的に二次元走査させる移動機構とを有することを特徴とする情報記録再生装置。
【請求項２】
請求項１記載の情報記録再生装置において、
前記記録再生部は、
前記光情報記録媒体の前記印刷可能面と反対の面に対向して配置され、前記光情報記録媒体に対して情報の記録を行う記録ヘッドと、
前記記録ヘッドを光情報記録媒体の径方向に移動させる記録ヘッド移動機構とを有することを特徴とする情報記録再生装置。
【請求項３】
請求項１又は２記載の情報記録再生装置において、
前記印刷ヘッドは、複数のノズルが設けられたノズル領域を有し、
前記ノズル領域の長辺と、前記印刷ヘッドの往復回数の多い方向とがほぼ直交するように前記印刷ヘッドが設置されていることを特徴とする情報記録再生装置。
【請求項４】
請求項１〜３のいずれか１項に記載の情報記録再生装置において、
さらに、前記印刷情報の編集を行う印刷編集部を有し、
前記印刷編集部は、
前記光情報記録媒体に記録される情報、あるいは前記光情報記録媒体に記録された情報に関する情報を前記印刷情報として前記印刷部に供給することを特徴とする情報記録再生装置。
【請求項５】
請求項４記載の情報記録再生装置において、
前記印刷編集部は、
前記光情報記録媒体に記録される情報、あるいは前記光情報記録媒体に記録された情報の一部を前記印刷情報とする手段を有することを特徴とする情報記録再生装置。
【請求項６】
請求項４又は５記載の情報記録再生装置において、
前記印刷編集部は、
前記光情報記録媒体に記録される情報、あるいは前記光情報記録媒体に記録された情報に関する情報を、ネットワークを介して取得して前記印刷情報とする手段を有することを特徴とする情報記録再生装置。
【請求項７】
請求項４〜６のいずれか１項に記載の情報記録再生装置において、
前記印刷編集部は、
前記光情報記録媒体に記録される情報、あるいは前記光情報記録媒体に記録された情報に関するものであって、且つ、入力装置を介して入力された文字情報を前記印刷情報とする手段を有することを特徴とする情報記録再生装置。
【請求項８】
回転駆動部に装着された光情報記録媒体に対して情報の記録及び／又は再生を行う情報記録再生装置において使用され、
前記光情報記録媒体を前記回転駆動部に装着させた状態で前記光情報記録媒体の印刷可能面に対して画像や文字を含む印刷情報の印刷を行う情報印刷方法において、
前記回転駆動部に装着された状態の前記光情報記録媒体の前記印刷可能面に対向して印刷ヘッドを配置し、
前記印刷ヘッドを前記光情報記録媒体の前記印刷可能面とほぼ平行な面に沿って相対的に二次元走査させて前記印刷情報の印刷を行うことを特徴とする情報印刷方法。
【請求項９】
請求項８記載の情報印刷方法において、
前記印刷ヘッドは、複数のノズルが設けられたノズル領域を有し、
前記ノズル領域の長辺と、前記印刷ヘッドの往復回数の多い方向とがほぼ直交するように前記印刷ヘッドを設置することを特徴とする情報印刷方法。
【請求項１０】
請求項８又は９記載の情報印刷方法において、
前記光情報記録媒体に記録される情報、あるいは前記光情報記録媒体に記録された情報に関する情報を前記印刷情報として前記光情報記録媒体の前記印刷可能面に印刷することを特徴とする情報印刷方法。
【請求項１１】
請求項１０記載の情報印刷方法において、
前記光情報記録媒体に記録される情報、あるいは前記光情報記録媒体に記録された情報の一部を前記印刷情報として前記光情報記録媒体の前記印刷可能面に印刷することを特徴とする情報印刷方法。
【請求項１２】
請求項１０又は１１記載の情報印刷方法において、
前記光情報記録媒体に記録される情報、あるいは前記光情報記録媒体に記録された情報に関する情報を、ネットワークを介して取得し、前記印刷情報として前記光情報記録媒体の前記印刷可能面に印刷することを特徴とする情報印刷方法。
【請求項１３】
請求項１０〜１２のいずれか１項に記載の情報印刷方法において、
前記光情報記録媒体に記録される情報、あるいは前記光情報記録媒体に記録された情報に関するものであって、且つ、入力装置を介して入力された文字情報を前記印刷情報として前記光情報記録媒体の前記印刷可能面に印刷することを特徴とする情報印刷方法。
【請求項１４】
請求項８記載の情報印刷方法において、
前記光情報記録媒体に情報を記録し、その後、前記光情報記録媒体の印刷可能面に前記印刷情報の印刷を行うことを特徴とする情報印刷方法。
【請求項１５】
内部に情報が記録され、且つ、請求項８〜１４のいずれか１項に記載の情報印刷方法によって印刷情報が印刷された光情報記録媒体。
【発明の詳細な説明】
【技術分野】
【０００１】
本発明は、光情報記録媒体に対して例えばレーザ光を利用して情報を記録及び／又は再生を行うことができる情報記録再生装置と、情報が記録された光情報記録媒体の印刷可能面に対して印刷情報を印刷する情報印刷方法と、内部に情報が記録され、表面に印刷情報が印刷された光情報記録媒体とに関し、例えばＣＤ−Ｒ、ＣＤ＋Ｒ、ＣＤ−ＲＷ、ＣＤ＋ＲＷ、ＤＶＤ−Ｒ、ＤＶＤ＋Ｒ、ＤＶＤ−ＲＷ、ＤＶＤ＋ＲＷ、ＤＶＤ−ＲＡＭ等に用いて好適な情報記録再生装置、情報印刷方法及び光情報記録媒体に関する。
【背景技術】
【０００２】
近時、情報の書き込みが可能な光情報記録媒体、例えばＣＤ−ＲやＤＶＤ−Ｒ等に対して情報を記録した後の管理方法としては、情報を光情報記録媒体の一方の面から内部にある情報記録面に記録した後、他方の面、すなわち、印刷可能面（ラベル面）に、内部に記録した情報に関するコメントや画像を手書きやシールの貼り付けといった方法で表示し、管理するようにしていた。
【０００３】
しかし、光情報記録媒体を情報記録再生装置から取り出した後に、上述のような手書きやシールの貼り付けを行うと、１枚だけならユーザが覚えているため、正確な情報を手書き等することができるが、複数枚の光情報記録媒体に対して、手書き等をする場合、どの光情報記録媒体に何の情報が記録されているかを認識することができず、再び情報記録再生装置にセットして確認しなければならず、面倒である。
【０００４】
そこで、従来では、１つの情報記録再生装置に、情報の記録再生手段のほか、印刷手段を設け、光情報記録媒体に情報を記録した後に、印刷手段にてレーベル等を印刷する方法が提案されている（例えば特許文献１〜３）。
【０００５】
【特許文献１】特開平５−２３８００５号公報
【特許文献２】特開２０００−２２８０３６号公報
【特許文献３】特開２００４−１１０９９４号公報
【発明の開示】
【発明が解決しようとする課題】
【０００６】
しかしながら、特許文献1及び３に記載の技術は、光情報記録媒体を回転させながらインクジェット方式にて印刷を行うようにしているため、インクの噴射速度、着弾位置等を光情報記録媒体の回転に応じて計算する必要があり、さらに、印刷情報を計算された噴射速度や着弾位置等に応じて変形させる等、情報の演算処理に係る時間が膨大になるという問題がある。しかも、回転中の光情報記録媒体にインクを噴射することから、インクが放射状に飛んでしまい、周辺部分をインクで汚してしまうという新たな問題もある。
【０００７】
一方、特許文献２に記載の技術は、光情報記録媒体に対して情報を記録する情報記録部と、情報が書き込まれた後の記録済の記録媒体の表面に印刷を行う印刷部と、印刷後の記録媒体を回収する回収部とが独立に配置されているため、サイズが大きくなり、業務用であれば、問題はないと思われるが、一般ユーザ用としては、設置スペース等、問題が生じる。
【０００８】
本発明はこのような課題を考慮してなされたものであり、光情報記録媒体を情報記録再生装置内に装着した状態で該光情報記録媒体の内部に記録された情報に関する情報（画像情報や文字情報等）を簡便に、且つ、周辺を汚すことなく、正確に印刷することができ、一般ユーザによる光情報記録媒体への情報記録の普及を促進させることができる情報記録再生装置、情報印刷方法及び光情報記録媒体を提供することを目的とする。
【課題を解決するための手段】
【０００９】
本発明に係る情報記録再生装置は、回転駆動部に装着された光情報記録媒体に対して情報の記録及び／又は再生を行う記録再生部と、前記回転駆動部に装着された状態の前記光情報記録媒体の印刷可能面に対して画像や文字を含む印刷情報の印刷を行う印刷部とを有し、前記印刷部は、前記回転駆動部に装着された状態の前記光情報記録媒体の前記印刷可能面に対向して配置された印刷ヘッドと、前記印刷ヘッドを前記光情報記録媒体の前記印刷可能面とほぼ平行な面に沿って相対的に二次元走査させる移動機構とを有することを特徴とする。
【００１０】
これにより、光情報記録媒体を情報記録再生装置内に装着した状態で光情報記録媒体の内部に記録された情報に関する印刷情報（画像情報や文字情報等）を簡便に、且つ、周辺を汚すことなく、正確に印刷することができ、一般ユーザによる光情報記録媒体への情報記録の普及を促進させることができる。
【００１１】
そして、前記構成において、前記記録再生部は、前記光情報記録媒体の前記印刷可能面と反対の面に対向して配置され、前記光情報記録媒体に対して情報の記録を行う記録ヘッドと、前記記録ヘッドを光情報記録媒体の径方向に移動させる記録ヘッド移動機構とを有するようにしてもよい。
【００１２】
また、前記構成において、前記印刷ヘッドは、複数のノズルが設けられたノズル領域を有し、前記ノズル領域の長辺と、前記印刷ヘッドの往復回数の多い方向とがほぼ直交するように前記印刷ヘッドが設置されていてもよい。
【００１３】
さらに、前記印刷情報の編集を行う印刷編集部を有し、前記印刷編集部は、前記光情報記録媒体に記録される情報、あるいは前記光情報記録媒体に記録された情報に関する情報を前記印刷情報として前記印刷部に供給するようにしてもよい。
【００１４】
また、前記印刷編集部は、前記光情報記録媒体に記録される情報、あるいは前記光情報記録媒体に記録された情報の一部を前記印刷情報とする手段を有するようにしてもよい。
【００１５】
また、前記印刷編集部は、前記光情報記録媒体に記録される情報、あるいは前記光情報記録媒体に記録された情報に関する情報を、ネットワークを介して取得して前記印刷情報とする手段を有するようにしてもよい。
【００１６】
また、前記印刷編集部は、前記光情報記録媒体に記録される情報、あるいは前記光情報記録媒体に記録された情報に関するものであって、且つ、入力装置を介して入力された文字情報を前記印刷情報とする手段を有するようにしてもよい。
【００１７】
次に、本発明に係る情報印刷方法は、回転駆動部に装着された光情報記録媒体に対して情報の記録及び／又は再生を行う情報記録再生装置において使用され、前記光情報記録媒体を前記回転駆動部に装着させた状態で前記光情報記録媒体の印刷可能面に対して画像や文字を含む印刷情報の印刷を行う情報印刷方法において、前記回転駆動部に装着された状態の前記光情報記録媒体の前記印刷可能面に対向して印刷ヘッドを配置し、前記印刷ヘッドを前記光情報記録媒体の前記印刷可能面とほぼ平行な面に沿って相対的に二次元走査させて前記印刷情報の印刷を行うことを特徴とする。
【００１８】
これにより、光情報記録媒体を情報記録再生装置内に装着した状態で光情報記録媒体の内部に記録された情報に関する印刷情報（画像情報や文字情報等）を簡便に、且つ、周辺を汚すことなく、正確に印刷することができ、一般ユーザによる光情報記録媒体への情報記録の普及を促進させることができる。
【００１９】
前記印刷ヘッドは、複数のノズルが設けられたノズル領域を有し、前記ノズル領域の長辺と、前記印刷ヘッドの往復回数の多い方向とがほぼ直交するように前記印刷ヘッドを設置するようにしてもよい。
【００２０】
そして、前記光情報記録媒体に記録される情報、あるいは前記光情報記録媒体に記録された情報に関する情報を前記印刷情報として前記光情報記録媒体の前記印刷可能面に印刷するようにしてもよい。
【００２１】
また、前記光情報記録媒体に記録される情報、あるいは前記光情報記録媒体に記録された情報の一部を前記印刷情報として前記光情報記録媒体の前記印刷可能面に印刷するようにしてもよい。
【００２２】
また、前記光情報記録媒体に記録される情報、あるいは前記光情報記録媒体に記録された情報に関する情報を、ネットワークを介して取得し、前記印刷情報として前記光情報記録媒体の前記印刷可能面に印刷するようにしてもよい。
【００２３】
また、前記光情報記録媒体に記録される情報、あるいは前記光情報記録媒体に記録された情報に関するものであって、且つ、入力装置を介して入力された文字情報を前記印刷情報として前記光情報記録媒体の前記印刷可能面に印刷するようにしてもよい。
【００２４】
本発明においては、前記光情報記録媒体に情報を記録し、その後、前記光情報記録媒体の印刷可能面に前記印刷情報の印刷を行うようにしてもよい。
【００２５】
次に、本発明に係る光情報記録媒体は、内部に情報が記録され、且つ、上述した情報印刷方法に係る発明によって印刷情報が印刷されていることを特徴とする。これにより、１以上の光情報記録媒体を、印刷された情報を基に、簡単に、且つ、正確に管理することができ、一般ユーザによる光情報記録媒体への情報記録の普及を促進させることができる。
【発明の効果】
【００２６】
以上説明したように、本発明に係る情報記録再生装置、情報印刷方法及び光情報記録媒体によれば、光情報記録媒体を情報記録再生装置内に装着した状態で光情報記録媒体の内部に記録された情報に関する情報（画像情報や文字情報等）を簡便に、且つ、周辺を汚すことなく、正確に印刷することができ、一般ユーザによる光情報記録媒体への情報記録の普及を促進させることができる。
【発明を実施するための最良の形態】
【００２７】
以下、本発明に係る情報記録再生装置、情報印刷方法及び光情報記録媒体を、例えばレーザ光を用いて情報の記録及び再生を行うことができる光情報記録媒体（光ディスク）に適用した実施の形態例（以下、単に実施の形態に係る情報記録再生装置と記す）を図１〜図１７を参照しながら説明する。
【００２８】
本実施の形態に係る情報記録再生装置１０は、図１に示すように、光ディスク１２に対して情報の記録及び／又は再生を行う記録再生部１４と、光ディスク１２の印刷可能面１６に対して画像や文字等の印刷情報の印刷を行う印刷部１８と、印刷情報の編集を行う印刷編集部２０（図５参照）とを有する。印刷情報としては、光ディスク１２に記録した情報のタイトル、記録日時、記録時間、画質（倍速の情報等）、放送チャンネル等の画像ソースや、代表画像のサムネイル等がある。また、印刷される画像としては、写真や絵の画像のほか、記号やバーコード等のような画像を含み、目視あるいは拡大鏡、顕微鏡等で拡大して認識できるもの全てを含む。従って、概ね１０μｍ以上のパターンを含む。このようなことから、印刷編集部２０は、ユーザが光ディスク１２に記録した情報の内容を確認しながら、その情報の一部を印刷情報に選んだり、コメントを入力できるようにソフトウェアによって実現されることが好ましい。
【００２９】
記録再生部１４は、スピンドルモータ２２を有し、光ディスク１２をＣＬＶ（線速度一定）方式あるいはＣＡＶ（角速度一定）方式で回転させる回転駆動部２４と、光ディスク１２の一方の面（印刷可能面１６と反対の面）に対向して配置され、光ディスク１２に対して情報の記録を行う記録ヘッド２６と、同じく光ディスク１２の一方の面に対向して配置され、光ディスク１２に記録された情報（位置情報を含む）を再生する再生ヘッド２８と、これら記録ヘッド２６及び再生ヘッド２８を光ディスク１２の径方向に移動させる記録再生ヘッド移動機構３０と、これら回転駆動部２４、記録ヘッド２６、再生ヘッド２８、記録再生ヘッド移動機構３０を制御する制御部３２とを有する。
【００３０】
光ディスク１２に記録される情報は、例えばネットワークを通じてダウンロードしたプログラム情報、文書情報、画像情報（静止画情報、動画情報）や、他の記録媒体（例えばビデオテープ等）に記録された画像情報（静止画情報、動画情報）等であり、これらの情報は、一旦、補助記憶装置３４に記録される。補助記憶装置３４としては、当該情報記録再生装置１０がハードディスクを内蔵していれば、該ハードディスクを使用することができるほか、当該情報記録再生装置１０に接続されるパーソナルコンピュータ（パソコン３６と記す）のハードディスク等を使用することができる。従って、記録再生部１４は、上述した構成要素のほか、補助記憶装置３４とフレームメモリ３８間のデータのやりとりを行う第１のメモリ制御部４０と、フレームメモリ３８と記録ヘッド２６や再生ヘッド２８側とのデータのやりとりを行う第２のメモリ制御部４２とを有する。
【００３１】
以下の説明では、光ディスク１２に画像情報（静止画情報、動画情報）を記録する場合を主体に説明を行うが、プログラム情報、文書情報等においても簡単に適用させることができる。
【００３２】
補助記憶装置３４に記録されている画像情報は、１フレーム（例えば１／６０秒）単位に第１のメモリ制御部４０によって順次読み出されてフレームメモリ３８に書き込まれ、フレームメモリ３８に書き込まれた１フレーム分の画像情報は第２のメモリ制御部４２によって読み出されて記録ヘッド２６へ向けて出力される。第２のメモリ制御部４２によって読み出された画像情報は、途中のデータ変換部４４において光ディスク１２の記録フォーマットに合わせたデータ形態に変換されて記録ヘッド２６に供給される。もちろん、記録ヘッド２６へのデータ供給に時間がかかる場合は、フレームメモリ３８として、２つのフレームメモリを交互に書き換え読み出しを行う、いわゆるデュアルメモリを使用するようにしてもよい。
【００３３】
一方、再生ヘッド２８は、ＣＬＶ方式あるいはＣＡＶ方式で回転している光ディスク１２に対して再生用のレーザ光を照射し、光ディスク１２から反射する例えばウォブリングされたプリグルーブからの反射光や、アドレス用プリピットからの反射光によるアドレス信号に基づいて、画像情報を記録すべき位置（記録位置）を検出する。つまり、シーク動作が行われる。
【００３４】
そして、記録ヘッド２６は、記録用のレーザ光を、供給されたデータに基づいて変調し、再生ヘッド２８にて検出された記録位置に照射する。記録ヘッド２６と再生ヘッド２８とが１つのユニットとして構成されていれば、再生ヘッド２８にて記録位置が検出された時点で記録ヘッド２６による画像情報の記録が開始される。このようにして、上述の画像情報が順次光ディスク１２に記録されていくこととなる。なお、記録ヘッド２６による記録形式としては、有機色素材料を使用した記録方式や相変化記録方式等があるが、この記録再生部１４では、いずれの記録方式も採用可能である。
【００３５】
また、再生ヘッド２８は、上述した位置検出のほか、すでに画像データが記録されている光ディスク１２から画像データを再生する。
【００３６】
再生された画像データは、第２のメモリ制御部４２、フレームメモリ３８及び第１のメモリ制御部４０を介して補助記憶装置３４に記録される。
【００３７】
なお、情報記録再生装置１０にモニタ４６やパソコン３６が接続されている場合においては、フレームメモリ３８に記録された画像情報が順次モニタ４６やパソコン３６に供給され、モニタ４６の画面やパソコン３６に接続されているモニタ４６の画面に画像情報が表示される。つまり、光ディスク１２に記録中あるいは光ディスク１２から再生中の画像情報がモニタ４６を通じて表示されることになる。
【００３８】
次に、印刷部１８は、例えばインクジェット方式の印刷を想定すると、印刷情報が記憶されるビデオメモリ５０と、該ビデオメモリ５０に対して印刷情報を書き込んだり、ビデオメモリ５０から順次印刷情報を読み出したりするメモリ制御部５２と、ビデオメモリ５０からの印刷情報を光ディスク１２の印刷可能面１６にインクジェット方式にて印刷する印刷ヘッド５４と、該印刷ヘッド５４に対して複数のインク５６を供給するインク供給部５８と、印刷ヘッド５４を所定方向（図１のＸ方向）に移動駆動する第１のヘッド移動機構６０と、印刷ヘッド５４を前記所定方向とほぼ直交する方向（図１のＹ方向）に移動駆動する第２のヘッド移動機構６２と、これらメモリ制御部５２、印刷ヘッド５４、第１及び第２のヘッド移動機構６０及び６２を制御する制御部６４とを有する。
【００３９】
印刷ヘッド５４は、第１及び第２のヘッド移動機構６０及び６２による駆動制御によって、光ディスク１２の印刷可能面１６とほぼ平行な面（Ｘ方向とＹ方向で形成される面：二点鎖線６６で示す）に沿って二次元的に走査するように動くこととなる。本実施の形態では、１つの二次元的走査の間に、Ｘ方向については多数回の往復が行われ、Ｙ方向については１回の往復が行われるようになっている。
【００４０】
印刷ヘッド５４は、図２に示すように、複数のインクジェット方式のノズル６８が例えばマトリックス状に設けられた領域（ノズル領域７０）を有する。特に、この例では、ノズル領域７０の長辺７０ａと、印刷ヘッド５４の往復回数の多いＸ方向とが直交するように印刷ヘッド５４が設置されることとなる。この場合、印刷のための画像処理が簡便になり、印刷速度を速めることができる。もちろん、ノズル領域７０の長辺７０ａとＸ方向とのなす角を９０°以外の角度にしてもよい。この場合、印刷の解像度が高くなることから、高精細な画像の印刷が可能になるが、印刷のための画像処理が複雑になるため、印刷速度が遅くなるおそれがある。仕様によって使い分けるようにしればよい。
【００４１】
また、印刷ヘッド５４は、図３に示すように、印刷ヘッド５４のノズル領域７０がスピンドルモータ２２の先端２２ａに接触しない程度の高さｈに設置される。もちろん、印刷ヘッド５４のノズル領域７０と光ディスク１２との距離を、光ディスク１２の印刷可能面１６からスピンドルモータ２２の先端２２ａまでの距離よりも小さくするようにしてもよい。しかし、単純に印刷ヘッド５４を二次元走査すると、印刷ヘッド５４がスピンドルモータ２２の先端２２ａに衝突するため、機構は複雑になるが、スピンドルモータ２２の先端２２ａに近づいた段階で、光ディスク１２から遠ざかる方向に垂直に移動させるようにしてもよい。
【００４２】
一方、図１に示すように、第１及び第２のヘッド移動機構６０及び６２には、それぞれエンコーダ（第１及び第２のエンコーダ７２及び７４）が接続され、印刷ヘッド５４のＸ方向の位置とＹ方向の位置が制御部６４において電気的に認識できるようになっている。
【００４３】
また、図４に示すように、ビデオメモリ５０の最大記録領域７６は、例えば印刷ヘッド５４の走査領域に対応した範囲とされ、例えば光ディスク１２の印刷可能面１６に対応したドーナツ状の記録領域７８を含む。そして、後述する印刷編集部２０（図５参照）によってこのドーナツ状の記録領域７８に記録された画像データや文字データが、光ディスク１２の印刷可能面１６に印刷されることとなる。
【００４４】
もちろん、記録領域７８を無視して画像データや文字データを記録してもよいが、光ディスク１２以外の部分に対してインクが噴射され、情報記録再生装置１０自体をインクで汚すおそれがある。そこで、前記記録領域７８以外に記録された画像データや文字データを印刷上無視する、すなわち、前記記録領域７８以外に記録された画像データや文字データを印刷するためのインクが噴射されないようにすることが好ましい。
【００４５】
なお、ビデオメモリ５０の最大記録領域７６のうち、画像データや文字データが記録された部分以外の領域には、印刷を行わないことを示す初期値（例えば論理値＝「０」）が記録されている。
【００４６】
印刷編集部２０は、当該情報記録再生装置１０に内蔵されたＣＰＵにて起動、制御されるソフトウェア、あるいは当該情報記録再生装置１０に接続されたパソコン３６にて起動、制御されるソフトウェアにて構成することができ、光ディスク１２への画像情報の記録中でも印刷編集できるように、マルチタスク方式で動作するようになっている。
【００４７】
印刷編集部２０は、例えば図５に示すように、画像データ登録部８０と、文字データ登録部８２と、画像印刷指示部８４と、文字印刷指示部８６とを有する。
【００４８】
画像データ登録部８０は、入力装置８８からのキャプチャを示す指示（キャプチャ指示）に従って、光ディスク１２に記録される画像情報あるいは他の画像情報から１以上のフレームの画像データをキャプチャし、該キャプチャした画像データの格納先頭アドレス（補助記憶装置３４のうち、キャプチャした画像データが格納されている領域の先頭アドレス）を情報テーブル９０に登録する。
【００４９】
文字データ登録部８２は、入力装置８８によって入力された文字データを、例えば補助記憶装置３４の特定アドレスに配置された文字データファイル９２に登録し、さらに、入力した文字データの格納先頭アドレス（文字データファイル９２のうち、入力された文字データが格納されている領域の先頭アドレス）を情報テーブル９０に登録する。
【００５０】
入力装置８８としては、当該情報記録再生装置１０に接続されたキーボードや座標入力装置（マウス）や、当該情報記録再生装置１０に接続されるパソコン３６に接続されたキーボードや座標入力装置（マウス）等がある。
【００５１】
また、情報テーブル９０は、図６に示すように、複数のレコードにて構成され、各レコードには、キャプチャした画像データに関する情報と、文字データに関する情報が登録されるようになっている。
【００５２】
画像データに関する情報は、上述した画像データの格納先頭アドレスと、画像データにおけるビデオメモリ５０上の記録アドレスと、画像データの記録範囲とを有する。
【００５３】
文字データに関する情報は、上述した文字データの格納先頭アドレスと、文字データにおけるビデオメモリ５０上の記録アドレスと、文字データの記録範囲とを有する。
【００５４】
画像印刷指示部８４は、画像データ登録部８０にてキャプチャされた画像データを、光ディスク１２の印刷可能面１６のうち、どの位置に印刷するか、また、画像データの拡大・縮小を指定するものであって、入力装置８８を通じて入力された座標データ等に基づいて、画像データのビデオメモリ５０上の記録アドレスと、画像データの記録範囲を計算して情報テーブル９０に登録する。
【００５５】
文字印刷指示部８６は、文字データ登録部８２にて登録された文字データを、光ディスク１２の印刷可能面１６のうち、どの位置に印刷するか、また、文字データの拡大・縮小を指定するものであって、入力装置８８を通じて入力された座標データ等に基づいて、文字データのビデオメモリ５０上の記録アドレスと、文字データの記録範囲を計算して情報テーブル９０に登録する。
【００５６】
印刷編集部２０での処理は、ＧＵＩ（グラフィカル・ユーザ・インターフェース）によって行われるようになっている。
【００５７】
例えば図７に示すように、補助記憶装置３４に記憶された画像情報をモニタ４６の画面上に映し出しながら光ディスク１２に記録している場合においては、ユーザが気に入った画像が映し出された時点で入力装置８８を通じてキャプチャ指示（例えばマウスの左クリック等）を行う、あるいはランダムにキャプチャ指示を行うことで、画像データ登録部８０は、キャプチャ指示を入力した時点における画像データの先頭アドレスを第１のメモリ制御部４０から取得し、情報テーブル９０に格納する。
【００５８】
あるいは、図８に示すように、既に画像情報が記録された光ディスク１２を再生しながら、ユーザが気に入った画像が映し出された時点で入力装置８８を通じてキャプチャ指示（例えばマウスの左クリック等）を行う、あるいはランダムにキャプチャ指示を行うことで、画像データ登録部８０は、キャプチャ指示を入力した時点における画像データの先頭アドレスを第２のメモリ制御部４２から取得し、情報テーブル９０に格納する。
【００５９】
あるいは、図９に示すように、ユーザが、パソコン３６を使ってネットワーク９４に接続されているＷｅｂサーバ９６上のＷｅｂページ（ホームページを含む）を表示している場合においては、光ディスク１２に記録される画像情報に因んだ画像（参照画像）をダウンロードし、さらに、入力装置８８を通じてキャプチャ指示を行うことで、画像データ登録部８０は、補助記憶装置３４のうち、参照画像が記録される先頭アドレスをパソコン３６から取得し、情報テーブル９０に格納する。
【００６０】
画像データの取り込みが終了した段階で、ユーザが、例えば図１０Ａに示すように、モニタ４６の画面上に表示されている印刷編集を示すスイッチやアイコン１００を選択操作（例えばマウスの左クリック等）することで、画像印刷指示部８４が起動し、まず、モニタ４６の画面上にビデオメモリ５０の記録内容が表示される。このとき、光ディスク１２の印刷可能面１６に対応したドーナツ状の記録領域７８（図４参照）を示す２つの円１０２及び１０４を表示することが好ましい。この場合、ユーザは、どの位置に画像や文字を印刷したらよいかを一目で認識することができ、印刷した後の画像の欠けや文字の欠け等を事前に防止することができる。しかも、画像や文字の配列に関するレイアウトも簡単になり、印刷編集にかかる時間を短縮することができる。これは、ユーザに対して、印刷編集が面倒であるという先入観をなくす上でも有効である。
【００６１】
その後、モニタ４６の画面上に表示されている画像挿入を示すスイッチあるいはアイコン１０６を選択操作することで、情報テーブル９０に登録された画像データに関する情報のみが抽出され、そのうち、登録されている格納先頭アドレスから画像データ１０８が読み出されて、図１０Ｂに示すように、ビデオメモリ５０に記録されることで、図１０Ａに示すように、モニタ４６の画面上に表示される。画像データ１０８は、図１０Ｂに示すように、モニタ４６の画面に例えば８つの画像データ１０８が表示される程度のサイズに縮小されてビデオメモリ５０に記録され、図１０Ａに示すように、モニタ４６の画面上に表示される。いわゆるサムネイル方式で表示されることとなる。
【００６２】
このとき、画像印刷指示部８４は、表示された画像データ１０８の表示位置に対応するビデオメモリ５０上の記録アドレスと記録範囲を情報テーブル９０に登録する。
【００６３】
ユーザは、図１１Ａに示すように、表示された画像データ１０８が光ディスク１２の印刷可能面１６に入るように、すなわち、２つの円１０２及び１０４で挟まれたドーナツ状の領域に入るように、入力装置８８を使って、例えばマウスによるドラッグ等によって、画像データ１０８の表示位置を変更したり、画像データ１０８の拡大、縮小を行うこととなる。この表示位置の変更や画像の拡大、縮小の際の入力装置８８からの座標データが画像印刷指示部８４に供給され、供給された座標データに基づいて、図１１Ｂに示すように、画像データ１０８におけるビデオメモリ５０上の記録アドレスと、画像データ１０８の記録範囲とを計算して情報テーブル９０に書き換え登録する。
【００６４】
また、ユーザは、画像データ１０８の印刷だけでなく、ユーザ自身が入力した文字（簡単なコメント等）を印刷したい場合もある。そこで、図１２Ａに示すように、モニタ４６の画面上に表示されているテキスト入力のスイッチあるいはアイコン１１０を選択操作することで、文字印刷指示部８６が起動し、モニタ４６の画面上、空いた部分にテキスト入力枠１１２が表示され、カーソル１１４がテキスト入力枠１１２内に表示されることとなる。このとき、文字印刷指示部８６は、表示されたテキスト入力枠１１２の表示位置に対応するビデオメモリ５０上の記録アドレスと記録範囲を情報テーブル９０に登録する。この段階からユーザは文字を入力することが可能となる。この文字の入力段階では、図１２Ｂに示すように、ビデオメモリ５０には文字データが記録されていない。つまり、印刷用の文字データとして表示されていない。
【００６５】
図１３Ａに示すように、テキスト入力枠１１２内への文字入力が完了することで、文字データ１１６が文字データファイル９２に登録され、その先頭アドレスが情報テーブル９０に登録される。入力された文字データ１１６は、図１３Ｂに示すように、ビデオメモリ５０に記録され、初めて印刷用の文字データ１１６としてモニタ４６の画面に表示される。
【００６６】
その後、ユーザは、図１４Ａに示すように、表示されている文字データ１１６が光ディスク１２の印刷可能面１６に入るように、入力装置８８を使って、例えばマウスによるドラッグ等によって、文字データ１１６の表示位置を変更したり、文字データ１１６の拡大、縮小を行うこととなる。この表示位置の変更や画像の拡大、縮小の際の入力装置８８からの座標データが文字印刷指示部８６に供給され、供給された座標データに基づいて、図１４Ｂに示すように、文字データ１１６におけるビデオメモリ５０上の記録アドレスと、文字データ１１６の記録範囲とを計算して情報テーブル９０に書き換え登録する。
【００６７】
文字データ１１６の入力は１回だけでもよいし、複数回でもよい。文字データ１１６の入力を２回以上行った場合は、各文字データ１１６に関する情報が情報テーブル９０に登録されて、ビデオメモリ５０にそれぞれ記録されることとなる。
【００６８】
印刷すべき画像データ１０８及び文字データ１１６の編集が終了した段階で、ユーザは、例えばモニタ４６の画面上に表示されている印刷を示すスイッチあるいはアイコン１１８を選択操作する。
【００６９】
これによって、印刷部１８による光ディスク１２への印刷処理が開始される。印刷部１８での処理を図１の構成図及び図１５のフローチャートも参照しながら説明する。まず、制御部６４は、図１５のステップＳ１において、光ディスク１２が装着されているか否かを判別し、装着されていれば、次のステップＳ２に進み、印刷処理を開始する。なお、光ディスク１２が装着されていなければ、ステップＳ３に進み、エラー信号を出力し、モニタ４６を通じて光ディスク１２が装着されていないことを示すメッセージを表示するようにしてもよい（ステップＳ４）。その後、印刷処理を強制終了してもよいし、あるいは光ディスク１２が装着されるまで待つようにしてもよい。図１５では光ディスク１２の装着を待つ処理にしている。
【００７０】
そして、ステップＳ２において、制御部６４は、記録再生部１４での光ディスク１２の回転駆動が完全に終了したか否かを判別する。この判別は、記録再生部１４の制御部３２からの停止信号あるいは制御部３２が参照するステータスビット（光ディスク１２に対してユニーク信号の読み取り中、光ディスク１２が停止中、光ディスク１２が定速回転中等を示すビット情報）に基づいて行うことができる。
【００７１】
光ディスク１２が停止中であれば、次のステップＳ５に進む。なお、光ディスク１２が停止していなければ、光ディスク１２が停止するまで待つ。
【００７２】
そして、ステップＳ５において、制御部６４は、例えば印刷ヘッド５４を初期位置に戻し、次のステップＳ６において、第１のヘッド移動機構６０及び第２のヘッド移動機構６２をそれぞれ駆動制御して、印刷ヘッド５４をＸ方向とＹ方向に走査させると共に、印刷ヘッド５４による印刷を開始する。
【００７３】
この実施の形態では、印刷ヘッド５４の走査範囲（物理領域）とビデオメモリ５０の記録領域（論理領域）がほぼ一致しているため、印刷に関するインターロック（光ディスク１２の印刷可能面１６以外を印刷しない処理）を採用していなければ、ビデオメモリ５０の最大記録領域７６（図４参照）に記録されたデータがそのまま印刷ヘッド５４を通じて出力されることになる。
【００７４】
しかし、本実施の形態では、後述するように、印刷に関するインターロックを採用しているため、ビデオメモリ５０の最大記録領域７６のうち、光ディスク１２の印刷可能面１６に対応する記録領域７８（図４参照）に記録された画像データや文字データが印刷ヘッド５４によって光ディスク１２の印刷可能面１６に印刷される。
【００７５】
印刷ヘッド５４の走査手順は、例えば図１６に示すように、まず、Ｘ方向の正方向（図１６上、右方向で示す方向）に移動させ、正方向終端に到達した段階で、Ｙ方向に所定のピッチｔｐだけ正方向（図１６上、下方向で示す方向）に移動させ、その後、Ｘ方向の負方向（図１６上、左方向で示す方向）に移動させ、その後、Ｙ方向に所定のピッチｔｐだけ正方向（図１６上、下方向で示す方向）に移動させるという処理を繰り返す。このようにして、図１７に示すように、光ディスク１２の印刷可能面１６に、ユーザが編集した画像データ１０８や文字データ１１６が印刷されることとなる。図１６に示す走査手順は、あくまでも一例であり、その他の手順も考えられる。
【００７６】
図１に示すように、メモリ制御部５２は、制御部６４からの制御に従って、この印刷ヘッド５４の移動に合わせて、且つ、ビデオメモリ５０の最大記録領域７６のうち、印刷ヘッド５４の位置に対応したアドレスから順次データ（初期値「０」、画像データ、文字データを含む）を読み出して印刷ヘッド５４に供給する。印刷ヘッド５４に供給されたデータが、初期値であれば、印刷は行わず、画像データや文字データであれば、画像データや文字データに応じたインクを噴射する。
【００７７】
また、制御部６４は、印刷ヘッド５４の移動に伴って第１のエンコーダ７２及び第２のエンコーダ７４から出力される位置信号（Ｘ座標データ及びＹ座標データ）を受け取り、印刷ヘッド５４が光ディスク１２の印刷可能面１６上にあるか否かを判別する。この判別は、例えば光ディスク１２の印刷可能面１６に対応したＸ座標の範囲（Ｘ座標の印刷可能範囲）とＹ座標の範囲（Ｙ座標の印刷可能範囲）が登録されたテーブル（座標情報テーブル）を用意しておき、印刷ヘッド５４の現在の座標（Ｘ座標データ及びＹ座標データ）がそれぞれＸ座標の印刷可能範囲及びＹ座標の印刷可能範囲に入っているか否かで行うことができる。
【００７８】
そして、制御部６４による印刷に関するインターロックは、メモリ制御部５２から印刷ヘッド５４に対して画像データや文字データが供給された時点での印刷ヘッド５４の位置が印刷可能面１６にある場合は、供給された画像データや文字データに応じたインクを光ディスク１２に対して噴射する。一方、印刷ヘッド５４に対して画像データや文字データが供給された時点での印刷ヘッド５４の位置が印刷可能面１６にない場合は、インクの噴射を行わないように制御する。
【００７９】
このインターロックによって、光ディスク１２以外の部分に対してインクが噴射されてしまうという不都合を回避することができ、情報記録再生装置１０自体をインクで汚すということがなくなる。
【００８０】
上述の例では、印刷ヘッド５４の位置が光ディスク１２の印刷可能面１６に対応した位置であるかどうかを座標情報テーブルにて確認しながら、光ディスク１２の印刷可能面１６に対して画像データや文字データを印刷するようにしたが、いちいち印刷ヘッド５４の位置を確認せずに、光ディスク１２の印刷可能面１６に対して画像データや文字データを印刷することも可能である。これは、印刷編集部２０での処理、特に、図１０Ａ〜図１４Ｂに示すビデオメモリ５０への画像データ１０８や文字データ１１６の記録処理において、光ディスク１２の印刷可能面１６に対応したドーナツ状の記録領域７８（図４参照）のみに画像データ１０８や文字データ１１６を記録できるようにし、記録領域７８以外の領域には画像データ１０８や文字データ１１６を記録できないようにすればよい。
【００８１】
このように、本実施の形態に係る情報記録再生装置１０においては、光ディスク１２を情報記録再生装置１０内に装着した状態で光ディスク１２の内部に記録された情報に関する情報（画像データや文字データ等）を簡便に、且つ、周辺を汚すことなく、正確に印刷することができ、一般ユーザによる光ディスク１２への情報記録の普及を促進させることができる。
【００８２】
なお、本発明に係る情報記録再生装置、情報印刷方法及び光情報記録媒体は、上述の実施の形態に限らず、本発明の要旨を逸脱することなく、種々の構成を採り得ることはもちろんである。
【図面の簡単な説明】
【００８３】
【図１】本実施の形態に係る情報記録再生装置を示す構成図である。
【図２】印刷ヘッドの好ましい設置例を示す説明図（その１）である。
【図３】印刷ヘッドの好ましい設置例を示す説明図（その２）である。
【図４】ビデオメモリの記録領域を示す説明図である。
【図５】印刷編集部を示すブロック図である。
【図６】情報テーブルの内訳を示す説明図である。
【図７】画像データ登録部での処理の一例を示す説明図である。
【図８】画像データ登録部での処理の他の例を示す説明図である。
【図９】画像データ登録部での処理のさらに他の例を示す説明図である。
【図１０】図１０Ａはモニタの画面上に画像データをサムネイル方式で表示した状態を示す説明図であり、図１０Ｂはビデオメモリの記録領域への画像データの記録状態を示す説明図である。
【図１１】図１１Ａはモニタの画面上に表示された画像データを移動、拡大、縮小している状態を示す説明図であり、図１１Ｂはビデオメモリの記録領域への画像データの記録状態を示す説明図である。
【図１２】図１２Ａはモニタの画面上にテキスト入力枠とカーソルを表示した状態を示す説明図であり、図１２Ｂはビデオメモリの記録領域への画像データの記録状態を示す説明図である。
【図１３】図１３Ａはテキスト入力枠内に文字データを入力した状態を示す説明図であり、図１３Ｂはビデオメモリの記録領域への画像データと文字データの記録状態を示す説明図である。
【図１４】図１４Ａはモニタの画面上に表示された文字データを移動、縮小している状態を示す説明図であり、図１４Ｂはビデオメモリの記録領域への画像データと文字データの記録状態を示す説明図である。
【図１５】印刷部での処理を示すフローチャートである。
【図１６】印刷ヘッドの走査手順の一例を示す説明図である。
【図１７】光ディスクの印刷可能面にユーザが編集した画像データや文字データが印刷された状態を示す斜視図である。
【符号の説明】
【００８４】
１０…情報記録再生装置                  １２…光ディスク
１４…記録再生部                        １６…印刷可能面
１８…印刷部                            ２０…印刷編集部
２２…スピンドルモータ                  ５４…印刷ヘッド
６０…第１のヘッド移動機構              ６２…第２のヘッド移動機構
６６…面                                ７０…ノズル領域
７０ａ…長辺                            ８０…画像データ登録部
８２…文字データ登録部                  ８４…画像印刷指示部
８６…文字印刷指示部                    ８８…入力装置
９０…情報テーブル                      １０８…画像データ
１１６…文字データ
【図１】
2006302409.tif 000003
【図２】
2006302409.tif 000004
【図３】
2006302409.tif 000005
【図４】
2006302409.tif 000006
【図５】
2006302409.tif 000007
【図６】
2006302409.tif 000008
【図７】
2006302409.tif 000009
【図８】
2006302409.tif 000010
【図９】
2006302409.tif 000011
【図１０】
2006302409.tif 000012
【図１１】
2006302409.tif 000013
【図１２】
2006302409.tif 000014
【図１３】
2006302409.tif 000015
【図１４】
2006302409.tif 000016
【図１５】
2006302409.tif 000017
【図１６】
2006302409.tif 000018
【図１７】
2006302409.tif 000019